(57)【要約】【課題】  放送事業者の構成に影響を与えず、かつ、デジタルＴＶ放送受信機能付き携帯電話端末の消費電力を削減しつつ、当該携帯電話端末にデジタルＴＶ放送の緊急警報放送を確実に報知できる緊急警報放送報知システムを得る。【解決手段】  緊急警報放送報知システムを、緊急警報放送を含むデジタル放送波を送出する番組情報生成送出装置と、上記緊急警報放送を含む上記デジタル放送波を受信すると、基地局を介して緊急警報放送の開始を通知するＣＢＳ信号を一斉送信するＣＢＳ信号送出装置と、受信したＣＢＳ信号が緊急警報放送の開始を通知する信号であることを検出すると、デジタル放送波の受信を開始する携帯電話端末とで構成した。【選択図】          図１
2008199188.tif 000002
【特許請求の範囲】
【請求項１】
デジタル放送波を送出する送出手段を備えた番組情報生成送出装置と、
上記デジタル放送波を受信する第１の放送受信手段、
この第１の放送受信手段が受信した上記デジタル放送波に緊急警報放送が含まれていることを検知すると、緊急警報放送が開始されることを通知するＣＢＳ（セルブロードキャスト）信号を作成するＣＢＳ送信信号生成手段、
及び、基地局を介して上記ＣＢＳ信号を一斉送信するＣＢＳ信号送信手段を備えたＣＢＳ信号送出装置と、
上記デジタル放送波を受信する第２の放送受信手段、
上記ＣＢＳ信号を受信するＣＢＳ信号受信手段、
当該ＣＢＳ信号の種類を検出するＣＢＳ信号解析手段、
及び、このＣＢＳ信号解析手段が上記ＣＢＳ信号受信手段の受信したＣＢＳ信号が緊急警報放送の開始を通知する信号であることを検出すると、上記第２の放送受信手段に電力を供給する電力制御装置を備えた携帯電話端末と
からなる緊急警報放送報知システム。
【請求項２】
デジタル放送波を受信する第１の放送受信手段、
この第１の放送受信手段が受信した上記デジタル放送波に緊急警報放送が含まれていることを検知すると、緊急警報放送が開始されることを通知するＣＢＳ（セルブロードキャスト）信号を作成するＣＢＳ送信信号生成手段、
及び、基地局を介して上記ＣＢＳ信号を一斉送信するＣＢＳ信号送信手段を備えたことを特徴とするＣＢＳ信号送出装置。
【請求項３】
デジタル放送波を受信する第２の放送受信手段、
ＣＢＳ信号を受信するＣＢＳ信号受信手段、
当該ＣＢＳ信号の種類を検出するＣＢＳ信号解析手段、
及び、このＣＢＳ信号解析手段が上記ＣＢＳ信号受信手段の受信したＣＢＳ信号が緊急警報放送の開始を通知する信号であることを検出すると、上記第２の放送受信手段に電力を供給する電力制御装置を備えたことを特徴とする携帯電話端末。
【請求項４】
ＣＢＳ信号の受信状態が圏外のときに、電力制御手段に上記ＣＢＳ信号の受信状態が圏外であることを通知する在圏状態変化通知手段を備え、
この在圏状態変化通知手段から上記ＣＢＳ信号の受信状態が圏外であることの通知を受けた電力制御手段は、放送受信手段への電力の供給を開始することを特徴とする請求項３記載の携帯電話端末。
【発明の詳細な説明】
【技術分野】
【０００１】
この発明は、セルブロードキャスト（以降、ＣＢＳ）により緊急警報放送の開始を通知する緊急警報放送報知システム、ＣＢＳ信号送出装置及び携帯電話端末に関する。
【背景技術】
【０００２】
デジタルＴＶ放送システムにおいては、受信端末は常に放送局の放送する番組の番組情報を受信可能な状態で待機し、放送局が番組情報を定期的に送信することで、受信端末の所有者はいつでも番組情報を参照できるようになっている。しかし、受信端末の所有者が緊急警報放送を見逃すことなく視聴するためには、受信端末の番組情報の受信用回路を、番組情報の受信中でなくても常に電力を供給して動作状態にしておく必要があり、そのために受信端末の消費電力が増加していた。
【０００３】
これを解決する手段として、デジタルＴＶ放送の受信端末において、緊急情報が通知されれば表示装置への電力供給を開始して緊急警報放送内容を表示するようにすることで、待機時の消費電力を削減するとともに、待機時にも緊急警報放送を受信できるようにした受信端末がある（例えば、特許文献１参照）。
【０００４】
【特許文献１】特開平１１−１９６３４２号公報（第５−６頁、図１）
【発明の開示】
【発明が解決しようとする課題】
【０００５】
特許文献１においては、放送事業者の保有する番組情報生成送出装置が、電話線や電力線やＡＭ／ＦＭ波やＣＡＴＶなどのデジタルＴＶ放送とは異なる伝送路を経由して、デジタルＴＶの緊急警報放送の起動信号を受信端末に通知し、緊急警報放送の起動信号の通知を受けた受信端末はデジタルＴＶ放送の入力手段を起動して緊急警報放送の受信を開始する構成となっている。
このため、受信端末の電話機能を伝送路とした場合には、放送事業者が携帯電話のベアラを提供する必要があるため、実現が容易ではないという問題点があった。
また、ＡＭ／ＦＭ波により起動信号を送出する場合には、受信端末にＡＭ／ＦＭ波を受信する装置が必要となり、さらに、起動信号を受信するために常時ＡＭ／ＦＭ波を受信しなければならず、デジタルＴＶ放送の入力手段の消費電力は低減されているものの、ＡＭ／ＦＭ波の起動信号入力手段の消費電力が増加してしまうといった問題点があった。
【０００６】
この発明は、上記のような問題点を解消するためになされたもので、放送事業者の構成に影響を与えず、かつ、デジタルＴＶ放送受信機能付き携帯電話端末の消費電力を削減しつつ、当該携帯電話端末にデジタルＴＶ放送の緊急警報放送を確実に報知できる緊急警報放送報知システムを得ることを目的とするものである。
【課題を解決するための手段】
【０００７】
この発明に係る緊急警報放送報知システムは、デジタル放送波を送出する送出手段を備えた番組情報生成送出装置と、上記デジタル放送波を受信する第１の放送受信手段、この第１の放送受信手段が受信した上記デジタル放送波に緊急警報放送が含まれていることを検知すると、緊急警報放送が開始されることを通知するＣＢＳ（セルブロードキャスト）信号を作成するＣＢＳ送信信号生成手段、及び、基地局を介して上記ＣＢＳ信号を一斉送信するＣＢＳ信号送信手段を備えたＣＢＳ信号送出装置と、上記デジタル放送波を受信する第２の放送受信手段、上記ＣＢＳ信号を受信するＣＢＳ信号受信手段、当該ＣＢＳ信号の種類を検出するＣＢＳ信号解析手段、及び、このＣＢＳ信号解析手段が上記ＣＢＳ信号受信手段の受信したＣＢＳ信号が緊急警報放送の開始を通知する信号であることを検出すると、上記第２の放送受信手段に電力を供給する電力制御装置を備えた携帯電話端末とからなるものである。
【発明の効果】
【０００８】
この発明に係る緊急警報放送報知システムは、緊急警報放送を含むデジタル放送波を送出する番組情報生成送出装置と、上記緊急警報放送を含む上記デジタル放送波を受信すると、基地局を介して緊急警報放送の開始を通知するＣＢＳ信号を一斉送信するＣＢＳ信号送出装置と、受信したＣＢＳ信号が緊急警報放送の開始を通知する信号であることを検出すると、デジタル放送波の受信を開始する携帯電話端末とからなるので、放送事業者の構成に影響を与えず、かつ、デジタル放送受信機能付き携帯電話端末の消費電力を削減しつつ、当該携帯電話端末にデジタル放送の緊急警報放送を確実に報知できる効果がある。
【発明を実施するための最良の形態】
【０００９】
実施の形態１．
図１は実施の形態１に係る緊急警報放送報知システムの概要を示す図である。
まず、放送事業者の情報入力手段１から番組情報生成送出装置２にデジタルＴＶ放送又はデジタルラジオ放送の番組データ及び番組の時刻が入力されると、番組情報生成送出装置２の番組情報生成手段２１は入力された情報から番組情報を生成し、生成された番組情報を送出手段２２から放送波として番組放送とともに送出する。このとき情報入力手段１から緊急放送データが入力されていたとすると、送出する番組情報には番組データ及び番組の時刻とともに緊急放送データも含まれる。
【００１０】
ＣＢＳ信号送出装置３の放送受信手段３１は番組情報生成送出装置２から送出された番組情報を受信し、受信した番組情報の中に緊急放送データが含まれていた場合には、緊急警報放送が開始されたことを通知するためのＣＢＳ信号がＣＢＳ送信信号生成手段３２によって作成され、作成されたＣＢＳ信号をＣＢＳ信号送信手段３３から携帯電話基地局４へ送信する。ＣＢＳ信号には、緊急警報放送が開始されたことの通知であることが識別できるメッセージＩＤ、ＣＢＳ-Ｍｅｓｓａｇｅ-Ｉｎｆｏｒｍａｔｉｏｎ-Ｐａｇｅには緊急警報放送がある物理チャンネル、サービスＩＤ又は系列ＩＤを含む。
【００１１】
携帯電話基地局４の入力手段４１はＣＢＳ信号送出装置３からＣＢＳ信号を受信すると、受信したＣＢＳ信号をＣＢＳ信号送信手段４２から携帯電話基地局４のセル内に存在する携帯電話端末５Ａ〜携帯電話端末５ｎへ一斉に送信する。
【００１２】
携帯電話端末５の放送受信手段５１及び表示手段５２には、通常、電力が供給されておらず、電力制御手段５３は放送受信手段５１と表示手段５２にそれぞれ独立に電力を供給することができる。
放送受信手段５１が番組情報生成送出装置２から送出された番組放送及び番組情報を受信すると、表示手段５２を介して表示装置５４で番組放送を表示する。また、表示手段５２は受信した番組情報に基づいて番組表を作成し、作成された番組表は、ユーザの操作によって表示装置５４で表示することができる。
【００１３】
ＣＢＳ信号受信手段５５が携帯電話基地局４からＣＢＳ信号を受信すると、ＣＢＳ信号解析手段５６が、受信したＣＢＳ信号が緊急警報放送開始の通知信号であるか否かを判定し、受信したＣＢＳ信号が緊急警報放送開始の通知信号であると判定した場合には、放送受信手段５１及び表示手段５２に電力を供給し、放送受信手段５１が番組情報生成送出装置２から番組放送として緊急警報放送の受信を開始し、表示手段５２を介して表示装置５４で緊急警報放送を表示する。
携帯電話端末５Ａと同じセル内に存在するその他の携帯電話端末５Ｂ〜携帯電話端末５ｎについても、携帯電話端末５Ａと同様に動作する。
【００１４】
次に、図２は実施の形態１に係るＣＢＳ信号送出装置３の動作を示すフローチャートである。
放送受信手段３１は番組情報生成送出装置２から送出された番組情報を受信すると（Ｓｔ２１）、受信した番組情報に緊急放送データが含まれているか否かを判定する（Ｓｔ２２）。受信した番組情報に緊急放送データが含まれていなければＳｔ２１に戻る。
Ｓｔ２２において、緊急放送データが含まれていたことを検出した場合には、ＣＢＳ送信信号生成手段３２は緊急警報放送の開始を通知するためのＣＢＳ信号を生成し（Ｓｔ２３）、生成したＣＢＳ信号をＣＢＳ信号送信手段３３から携帯電話基地局４へ送信する（Ｓｔ２４）。
放送受信手段３１は番組情報生成送出装置２から送出された番組情報の受信を継続し、受信した番組情報に緊急放送データが含まれなくなったことを検知した場合には、ＣＢＳ送信信号生成手段３２は緊急警報放送の終了を通知するためのＣＢＳ信号を生成し、生成したＣＢＳ信号をＣＢＳ信号送信手段３３から携帯電話基地局４に送信する。
【００１５】
図３は、実施の形態１に係る携帯電話端末５の動作を示すフローチャートである。
ＣＢＳ信号受信手段５５が携帯電話基地局４からＣＢＳ信号を受信すると（Ｓｔ３１）、ＣＢＳ信号解析手段５６は、受信したＣＢＳ信号が緊急警報放送の開始を通知する信号か否かの判定を行う（Ｓｔ３２）。受信したＣＢＳ信号が緊急警報放送の開始を通知する信号でなかった場合は、その他のＣＢＳ信号の受信処理を行う（Ｓｔ３３）。
Ｓｔ３２において、受信したＣＢＳ信号が緊急警報放送の開始を通知する信号であった場合、ＣＢＳ信号解析手段５６は電力制御手段５３に対して、放送受信手段５１及び表示手段５２への電力供給を開始させる（Ｓｔ３４）。
【００１６】
このときすでに放送受信手段５１へ電力が供給され番組放送を受信していれば、電力制御手段５３は放送受信手段５１への電力供給を継続し、受信中の番組放送を緊急警報放送に切り替える。さらに、表示手段５２へ電力が供給されていれば、電力制御手段５３は表示手段５２への電力供給を継続して表示装置５４で緊急警報放送を表示する。表示手段５２へ電力が供給されていなければ、電力制御手段５３は表示手段５２への電力供給を開始し、表示装置５４で緊急警報放送を表示させる。また、通常の番組放送を受信中であったこと、さらには表示中又は録画中であったことも記憶しておく。
【００１７】
Ｓｔ３４のときに放送受信手段５１へ電力が供給されていなければ、電力制御手段５３は放送受信手段５１及び表示手段５２への電力供給を開始し、放送受信手段５１の受信開始を指示する。放送受信手段５１は緊急警報放送の受信を開始し（Ｓｔ３５）、表示手段５２を介して表示装置５４で緊急警報放送の表示を開始する。また、通常の番組放送を受信中でなかったことも記憶しておく。
【００１８】
図４は実施の形態１に係る携帯電話端末５において、緊急警報放送表示中に緊急警報放送が終了したときの電力制御フローを示す図である。
ＣＢＳ信号受信手段５５が携帯電話基地局４からＣＢＳ信号を受信すると（Ｓｔ４１）、ＣＢＳ信号解析手段５６は受信したＣＢＳ信号が緊急警報放送の終了を通知する信号か否かを判別し（Ｓｔ４２）、緊急警報放送の終了を通知する信号でなければ、その他のＣＢＳ信号の受信処理を行う（Ｓｔ４３）。
Ｓｔ４２で、受信したＣＢＳ信号が緊急警報放送の終了を通知する信号であると判定した場合、ＣＢＳ信号解析手段５６は緊急警報放送の受信が終了したことを電力制御手段５３に通知する（Ｓｔ４４）。
緊急警報放送の受信が終了したことを通知された電力制御手段５３は、緊急警報放送の受信前に通常の番組放送を受信していたか否かを判断する（Ｓｔ４５）。電力制御手段５３は、通常の番組放送を受信していなかったと判断した場合、放送受信手段５１及び表示手段５２への電力供給を停止する（Ｓｔ４６）。
Ｓｔ４５で、通常の番組放送を受信していたと判断した場合は、緊急警報放送受信前に受信していた番組放送に切り替える。表示及び録画についても、緊急警報放送受信前の状態に戻して処理を終了する。
【００１９】
このように、実施の形態１の緊急警報放送報知システムでは、携帯電話端末５の消費電力を削減しつつ、携帯電話端末５にデジタルＴＶ放送又はデジタルラジオ放送による緊急警報放送を確実に報知できるので、ユーザは、携帯電話端末５の消費電力を気にすることなく、緊急警報放送を確実に視聴することができる。
【００２０】
実施の形態２．
実施の形態１では、携帯電話端末５は緊急警報放送が終了したことをＣＢＳ信号として受信したが、実施の形態２では、緊急警報放送の終了を放送受信手段５１から送出される放送波から取得する場合について説明する。
【００２１】
図５は実施の形態２に係る携帯電話端末５において、緊急警報放送の受信中に緊急警報放送が終了したときの電力制御フローを示す図である。
放送受信手段５１は、番組情報生成送出装置２から番組情報を受信すると、受信した番組情報に緊急放送データが含まれなくなったか否かを判断する。受信した番組情報に緊急放送データが含まれなくなったと判定した場合には、放送受信手段５１は緊急警報放送の受信が終了したことを電力制御手段５３に通知する（Ｓｔ５１）。
緊急警報放送の受信が終了したことを通知された電力制御手段５３は、緊急警報放送の受信前に通常の番組放送を受信していたか否かを判断する（Ｓｔ５２）。電力制御手段５３は、通常の番組放送を受信していなかったと判断した場合、放送受信手段５１及び表示手段５２への電力供給を停止する（Ｓｔ５３）。
Ｓｔ５２で、通常の番組放送を受信していたと判断した場合は、緊急警報放送受信前に受信していた番組放送に切り替える。表示及び録画についても、緊急警報放送受信前の状態に戻して処理を終了する。
【００２２】
実施の形態３．
実施の形態３では、実施の形態１においてＣＢＳ信号の受信状態が圏外となり、携帯電話端末５がＣＢＳ信号による緊急警報放送の開始通知を検知できないようになる場合にも対応できるようにした。
図６は、実施の形態３に係る携帯電話端末５のブロック図であり、図１の携帯電話端末５のブロック図に加えてＣＢＳ信号の受信状態の変化を電力制御手段５３に通知する在圏状態変化通知手段５７を備えている。
【００２３】
図７は、実施の形態３に係る携帯電話端末５の在圏状態変化通知手段５７の動作を示すフローチャートである。図８はＣＢＳ受信状態が圏内から圏外に変化した場合の電力制御を示すフローチャートであり、図９はＣＢＳ受信状態が圏外から圏内に変化した場合の電力制御を示すフローチャートである。
【００２４】
まず、図７を用いて、ＣＢＳ信号の受信状態が変化したときの在圏状態変化通知手段５７の動作について説明する。
在圏状態変化通知手段５７が、ＣＢＳ信号の受信状態を監視し（Ｓｔ７１）、ＣＢＳ信号の受信状態が圏内から圏外に変化したか否かのチェックを行う（Ｓｔ７２）。ＣＢＳ信号の受信状態が圏内から圏外に変化したことを検知した場合、電力制御手段５３に対し、ＣＢＳ信号の受信状態が圏内から圏外に変化したことを通知する（Ｓｔ７３）。
【００２５】
Ｓｔ７２においてＣＢＳ信号の受信状態が圏内から圏外に変化したことを検知しなかった場合、在圏状態変化通知手段５７はＣＢＳ信号の受信状態が圏外から圏内に変化したか否かのチェックを行う（Ｓｔ７４）。ＣＢＳ信号の受信状態が圏外から圏内に変化したことを検知した場合、電力制御手段５３に対し、ＣＢＳ信号の受信状態が圏外から圏内に変化したことを通知する（Ｓｔ７５）。
【００２６】
Ｓｔ７４において、ＣＢＳ信号の受信状態が圏外から圏内に変化したことを検知しなかった場合には、Ｓｔ７１に戻ってＣＢＳ信号の受信状態の監視を繰り返す。
【００２７】
次に、ＣＢＳ信号の受信状態が圏内から圏外に変化したときの電力制御手段５３の動作を、図８を用いて説明する。
電力制御手段５３はＣＢＳ受信状態が圏内から圏外に変化したことを在圏状態変化通知手段５７から通知されると（Ｓｔ８１）、放送受信手段５１へ電力が供給され番組放送を受信しているか否かを判断する（Ｓｔ８２）。
番組放送を受信中でなければ、電力制御手段５３は放送受信手段５１への電力供給を開始し（Ｓｔ８３）、放送受信手段５１へ番組情報の受信開始を指示する。電力制御手段５３は、放送受信手段５１から入手した番組情報の中に緊急放送データが含まれていた場合には、表示手段５２への電力供給を開始し、表示装置５４で緊急警報放送を表示させる。  Ｓｔ８２において、すでに放送受信手段５１へ電力が供給され番組放送を受信していれば、電力制御手段５３は放送受信手段５１への電力供給を継続したまま処理を終了する。
【００２８】
また、ＣＢＳ信号の受信状態が圏外から圏内に変化したときの電力制御手段５３の動作を、図９を用いて説明する。
電力制御手段５３はＣＢＳ受信状態が圏外から圏内に変化したことを通知されると（Ｓｔ９１）、番組放送を表示又は録画しているか否かを判断する（Ｓｔ９２）。電力制御手段５３は、番組放送を表示又は録画していないと判断した場合、放送受信手段５１及び表示手段５２への電力供給を停止する（ＳＴ９３）。
Ｓｔ９２で、番組放送を表示又は録画していると判断した場合は、表示及び録画を継続したまま処理を終了する。
【００２９】
このように、実施の形態３では、ＣＢＳ信号の受信状態が圏外となり、携帯電話端末５がＣＢＳ信号による緊急警報放送の開始通知を検知できないときには、放送受信手段５１に電力を供給し、放送波から緊急警報放送の開始を検知できるようにし、ＣＢＳ信号受信状態が圏外から圏内になった場合には、再び放送受信手段５１への電力供給を停止するようにしたので、ＣＢＳ信号の受信状態が圏外となった場合でも、緊急警報放送の開始を検知しながら、消費電力の削減を行うことができる。
【図面の簡単な説明】
【００３０】
【図１】実施の形態１に係る緊急警報放送報知システムの概要を示す図である。
【図２】実施の形態１に係るＣＢＳ信号送出装置３の動作を示すフローチャートである。
【図３】実施の形態１に係る携帯電話端末５の動作を示すフローチャートである。
【図４】実施の形態１に係る携帯電話端末５において、緊急警報放送視聴中に緊急警報放送が終了したときの電力制御フローを示す図である。
【図５】実施の形態２に係る携帯電話端末５において、緊急警報放送視聴中に緊急警報放送が終了したときの電力制御フローを示す図である。
【図６】実施の形態３に係る携帯電話端末５のブロック図である。
【図７】実施の形態３に係る携帯電話端末５の在圏状態変化通知手段５７の動作を示すフローチャートである。
【図８】実施の形態３において、ＣＢＳ受信状態が圏内から圏外に変化した場合の電力制御を示すフローチャートである。
【図９】実施の形態３において、ＣＢＳ受信状態が圏外から圏内に変化した場合の電力制御を示すフローチャートである。
【符号の説明】
【００３１】
１  情報入力手段
２  番組情報生成送出装置
２１  番組情報生成手段
２２  送出手段
３  ＣＢＳ信号送出装置
３１  放送受信手段
３２  ＣＢＳ送信信号生成手段
３３  ＣＢＳ信号送信手段
４  携帯電話基地局
４１  入力手段
４２  ＣＢＳ信号送信手段
５  携帯電話端末
５１  放送受信手段
５２  表示手段
５３  電力制御手段
５４  表示装置
５５  ＣＢＳ信号受信手段
５６  ＣＢＳ信号解析手段
５７  在圏状態変化通知手段
【図１】
2008199188.tif 000003
【図２】
2008199188.tif 000004
【図３】
2008199188.tif 000005
【図４】
2008199188.tif 000006
【図５】
2008199188.tif 000007
【図６】
2008199188.tif 000008
【図７】
2008199188.tif 000009
【図８】
2008199188.tif 000010
【図９】
2008199188.tif 000011